【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
メディアシステムであって、前記メディアシステムは、
複数のメディアデバイスであって、前記複数のメディアデバイスのそれぞれは、１つ以上のフォルダに配列された１つ以上のメディアファイルを含む、複数のメディアデバイスと、
前記１つ以上のメディアファイルについての情報を格納するように適合されたデータベースと、
前記１つ以上のメディアファイルを同期することなく、前記複数のメディアデバイスに格納された前記１つ以上のメディアファイルについての情報を前記データベースに格納された前記１つ以上のメディアファイルについての対応する情報に同期するように適合されたシンクロナイザと
を含み、
前記シンクロナイザは、決定されたフォルダ同期順序に従って前記情報を同期し、前記情報の同期の間に、前記決定されたフォルダ同期順序は、前記決定されたフォルダ同期順序におけるフォルダの優先順位より高い優先順位の順序にフォルダを置くように、ユーザによって操作されることが可能であり、前記フォルダについての情報は、前記決定された同期順序における残りのフォルダについての情報よりも前に同期される、メディアシステム。
【請求項２】
前記シンクロナイザが前記決定されたフォルダ同期順序に従って情報を同期することは、前記シンクロナイザが、前記複数のメディアデバイスのうちの１つのメディアデバイスのルートフォルダにおいて、同期動作を開始することを含む、請求項１に記載のメディアシステム。
【請求項３】
前記シンクロナイザが前記決定されたフォルダ同期順序に従って情報を同期することは、前記シンクロナイザがアルファベット順で前記ルートフォルダ内のファイルについての情報の同期動作を実行することを含む、請求項２に記載のメディアシステム。
【請求項４】
前記決定されたフォルダ同期順序は、ユーザによって格納された優先するフォルダについての情報を同期することを前記シンクロナイザに行わせるように、前記ユーザによって操作されることが可能である、請求項１に記載のメディアシステム。
【請求項５】
前記決定されたフォルダ同期順序は、ユーザによってリアルタイムで選択されたフォルダについての情報を同期することを前記シンクロナイザに行わせるように、前記ユーザによって操作されることが可能である、請求項１に記載のメディアシステム。
【請求項６】
前記決定されたフォルダ同期順序は、クエリに応答してユーザによってリアルタイムで選択されたフォルダについての情報を同期することを前記シンクロナイザに行わせるように、前記ユーザによって操作されることが可能である、請求項１に記載のメディアシステム。
【請求項７】
前記決定されたフォルダ同期順序は、所定のデフォルトフォルダについての情報を同期することを前記シンクロナイザに行わせるように、ユーザによって操作されることが可能である、請求項１に記載のメディアシステム。
【請求項８】
メディアシステムであって、前記メディアシステムは、
複数のメディアデバイスであって、前記複数のメディアデバイスのそれぞれは、１つ以上のフォルダに配列された１つ以上のメディアファイルを含む、複数のメディアデバイスと、
前記１つ以上のメディアファイルおよびフォルダについての情報を格納するように適合されたデータベースと、
ユーザからのメディアコンテンツ選択コマンドを受け入れるように適合されたヒューマンマシンインタフェースモジュールと、
前記ヒューマンマシンインタフェースモジュールからメディアコンテンツ選択コマンドを受け入れ、再生のためのメディアファイルを選択するメディアエンジンモジュールと、
前記１つ以上のメディアファイルを同期することなく、前記複数のメディアデバイスに格納された前記１つ以上のメディアファイルおよびフォルダについての情報を前記データベースに格納された前記１つ以上のメディアファイルおよびフォルダについての対応する情報に同期する同期モジュールと
を含み、
前記同期モジュールは、決定されたフォルダ同期順序に従って前記情報を同期し、前記情報の同期の間に、前記決定されたフォルダ同期順序は、前記決定されたフォルダ同期順序におけるフォルダの優先順序より高い優先順位の順序にフォルダを置くように、前記ヒューマンマシンインタフェースモジュールを介して、前記ユーザによって操作されることが可能であり、前記フォルダについての情報は、前記決定された同期順序における残りのフォルダについての情報よりも前に同期される、メディアシステム。
【請求項９】
前記同期モジュールが前記決定されたフォルダ同期順序に従って情報を同期することは、前記同期モジュールが、前記複数のメディアデバイスのうちの１つのメディアデバイスのルートフォルダにおいて、同期動作を開始することを含む、請求項８に記載のメディアシステム。
【請求項１０】
前記同期モジュールが前記決定されたフォルダ同期順序に従って情報を同期することは、前記同期モジュールがアルファベット順で前記ルートフォルダ内のファイルについての情報の同期動作を実行することを含む、請求項９に記載のメディアシステム。
【請求項１１】
前記決定されたフォルダ同期順序は、ユーザによって格納された優先するフォルダについての情報を同期することを前記同期モジュールに行わせるように、前記ユーザによって操作されることが可能である、請求項８に記載のメディアシステム。
【請求項１２】
前記決定されたフォルダ同期順序は、ユーザによってリアルタイムで選択されたフォルダについての情報を同期することを前記同期モジュールに行わせるように、前記ユーザによって操作されることが可能である、請求項８に記載のメディアシステム。
【請求項１３】
前記決定されたフォルダ同期順序は、クエリに応答してユーザによってリアルタイムで選択されたフォルダについての情報を同期することを前記同期モジュールに行わせるように、前記ユーザによって操作されることが可能である、請求項８に記載のメディアシステム。
【請求項１４】
前記決定されたフォルダ同期順序は、所定のデフォルトフォルダについての情報を同期することを前記同期モジュールに行わせるように、ユーザによって操作されることが可能である、請求項８に記載のメディアシステム。
【請求項１５】
メディアシステムであって、前記メディアシステムは、
１つ以上のフォルダにおいて、１つ以上のメディアファイルを格納するメディアデバイス手段と、
前記１つ以上のメディアファイルについての情報を格納するデータベース手段と、
前記１つ以上のメディアファイルを同期することなく、前記メディアデバイス手段に格納された前記１つ以上のメディアファイルについての情報を前記データベース手段に格納された前記１つ以上のメディアファイルについての対応する情報に同期する同期手段と
を含み、
前記同期手段は、決定されたフォルダ同期順序に従って前記情報を同期し、前記情報の同期の間に、前記決定されたフォルダ同期順序は、前記決定されたフォルダ同期順序におけるフォルダの優先順位より高い優先順位の順序にフォルダを置くように、ユーザによって操作されることが可能であり、前記フォルダについての情報は、前記決定された同期順序における残りのフォルダについての情報よりも前に同期される、メディアシステム。
【請求項１６】
前記同期手段が前記決定されたフォルダ同期順序に従って情報を同期することは、前記同期手段が、前記複数のメディアデバイスのうちの１つのメディアデバイスのルートフォルダにおいて、同期動作を開始することを含む、請求項１５に記載のメディアシステム。
【請求項１７】
前記同期手段が前記決定されたフォルダ同期順序に従って情報を同期することは、前記同期手段が、アルファベット順で前記ルートフォルダ内のファイルについての情報の同期動作を実行することを含む、請求項１６に記載のメディアシステム。
【請求項１８】
前記決定されたフォルダ同期順序は、ユーザによって格納された優先するフォルダについての情報を同期することを前記同期手段に行わせるように、前記ユーザによって操作されることが可能である、請求項１５に記載のメディアシステム。
【請求項１９】
前記決定されたフォルダ同期順序は、ユーザによってリアルタイムで選択されたフォルダについての情報を同期することを前記同期手段に行わせるように、前記ユーザによって操作されることが可能である、請求項１５に記載のメディアシステム。
【請求項２０】
前記決定されたフォルダ同期順序は、クエリに応答してユーザによってリアルタイムで選択されたフォルダについての情報を同期することを前記同期手段に行わせるように、前記ユーザによって操作されることが可能である、請求項１５に記載のメディアシステム。
【請求項２１】
前記決定されたフォルダ同期順序は、所定のデフォルトフォルダについての情報を同期することを前記同期手段に行わせるように、ユーザによって操作されることが可能である、請求項１５に記載のメディアシステム。
【請求項２２】
メディアシステムを動作させる方法であって、前記メディアシステムは、複数のメディアデバイスと、１つ以上のデータベースと、シンクロナイザデバイスと、ユーザインタフェースデバイスとを備え、前記方法は、
前記複数のメディアデバイスが、１つ以上のフォルダに１つ以上のメディアファイルを格納することと、
前記シンクロナイザデバイスが、前記１つ以上のデータベースにおいて、前記１つ以上のメディアファイルについての情報を編成することと、
前記シンクロナイザデバイスが、前記１つ以上のメディアファイルを同期することなく、前記１つ以上のメディアファイルについての情報を前記１つ以上のデータベースに格納された前記１つ以上のメディアファイルについての対応する情報に同期することであって、前記情報は、所定のフォルダ同期順序に従って同期される、ことと、
前記情報の同期の間に、決定されたフォルダ同期順序におけるフォルダの優先順位より高い優先順位の順序にフォルダを置くように、前記ユーザインタフェースデバイスが、前記決定されたフォルダ同期順序をユーザが操作することを可能にすることであって、前記フォルダについての情報は、前記決定された同期順序における残りのフォルダについての情報よりも前に同期される、ことと
を包含する、方法。
【請求項２３】
前記シンクロナイザデバイスが前記決定されたフォルダ同期順序に従って情報を同期することは、前記シンクロナイザデバイスが、メディアデバイスのルートフォルダにおいて同期動作を開始することを含む、請求項２２に記載の方法。
【請求項２４】
前記シンクロナイザデバイスが前記決定されたフォルダ同期順序に従って情報を同期することは、前記シンクロナイザデバイスが、アルファベット順で前記ルートフォルダ内のファイルについての情報の同期動作を実行することを含む、請求項２３に記載の方法。
【請求項２５】
前記決定されたフォルダ同期順序は、ユーザによって格納された優先するフォルダについての情報を同期することを前記シンクロナイザデバイスに行わせるように、前記ユーザによって操作されることが可能である、請求項２２に記載の方法。
【請求項２６】
前記決定されたフォルダ同期順序は、ユーザによってリアルタイムで選択されたフォルダについての情報を同期することを前記シンクロナイザデバイスに行わせるように、前記ユーザによって操作されることが可能である、請求項２２に記載の方法。
【請求項２７】
前記決定されたフォルダ同期順序は、クエリに応答してユーザによってリアルタイムで選択されたフォルダについての情報を同期することを前記シンクロナイザデバイスに行わせるように、前記ユーザによって操作されることが可能である、請求項２２に記載の方法。
【請求項２８】
前記決定されたフォルダ同期順序は、所定のデフォルトフォルダについての情報を同期することを前記シンクロナイザデバイスに行わせるように、ユーザによって操作されることが可能である、請求項２２に記載の方法。